(57)【要約】【課題】紙とCDを粉砕するシュレッダーを提供する。【解決手段】本考案のシュレッダーは、公知のシュレッダー刀具組の傍側に、二組の連接ギアからなる刀具ギアを設け、二組の円柱形刀具が互いに支承しあってなり、刀具表面には圧紋を有し、CD片を、上蓋のCD片入口から二つの刀具間に挿入し、圧紋により、CD片を粉砕する。CD片の刀具組は、紙の刀具組より短い。【選択図】図３
0003112364.tif 000002
【実用新案登録請求の範囲】
【請求項１】
紙とCDを粉砕するシュレッダーは、上蓋、底座、モーター、減速機、及び、二組の刀具組等の素子からなり、前記上蓋頂端は、紙入口、CD片入口、スイッチを有し、前記底座内に、モーター、減速機、二組の刀具組を有し、前記モーターは、若干のギアによりなる減速機を帯動して回転させ、同時に、二つの刀具組のギアを帯動して回転させ、連接ギアの軸棒に、二つの刀具組を帯動して回転させ、刀具組の二つの円形シュレッダー刀の外周は、棘刀を有し、互いに交差してなり、前記減速機のギア傍側に連接ギアを有し、前記連接ギアは、もう一つのギアを帯動して回転させ、ギアと同軸のもう一組の刀具組のCD片刀具ギアは、その傍側のもう一つのギアを帯動して回転させ、二つの刀具ギアは、それぞれ、二組の刀具を帯動して回転させ、二組の円柱形刀具は、互いに支承しあってなり、刀具表面には圧紋を有し、CD片を、上蓋のCD片入口から、二つの刀具間に挿入して、前記圧紋により、圧壊するもので、前記CD片の刀具組は、前記紙の刀具組より短いことを特徴とするシュレッダー。
【考案の詳細な説明】
【技術分野】
【０００１】
本考案は、紙とCDを粉砕するシュレッダーに関するものであって、特に、紙を粉砕するための独立した刀具組、及び、CDを粉砕するための、独立し、且つ、短い刀具組を有し、それぞれ、紙とCDを粉砕するシュレッダーに関するものである。
【背景技術】
【０００２】
公知のシュレッダーは、図１、及び、図２で示されるように、シュレッダー口１００、及び、二組の刀具組２００からなり、紙だけを粉砕することが出来、CD片などは粉砕できなかった。シュレッダーの上に、CD投入口が設けられているものもあるが、二つの挿入口があっても、刀具は共同使用するので、刃に負担がかかり、刀具は損傷しやすく、シュレッダーの寿命を短縮してしまう。
【考案の開示】
【考案が解決しようとする課題】
【０００３】
本考案は、紙とCDを粉砕するシュレッダーを提供し、公知の問題を改善することを目的とする。
【課題を解決するための手段】
【０００４】
本考案によると、紙とCDを粉砕するシュレッダーは、公知のシュレッダー刀具組傍側に、連接ギアによりもう一組の独立した二つの円柱形刀具組を設け、底座上に、二つのシュレッダー刀、及び、二組の表面に圧紋を有する刀具を設置し、モーター、及び、減速機により帯動して、二組の異なる刀具組は、それぞれ、紙、CD片を粉砕する。
【考案の効果】
【０００５】
それぞれ独立した刀具組により、粉砕装置の使用寿命を確保し、CD片の刀具組は、紙の刀具組より短く、コストを節約できる。
【考案を実施するための最良の形態】
【０００６】
図３、及び、図４で示されるように、本考案のシュレッダーは、上蓋１、底座２、モーター３、減速機４、及び、二組の刀具組５、６、等の素子からなる。
【０００７】
上蓋１頂端は、紙入口１１、CD片入口１２、及び、スイッチ１３を有し（図３で示される）、上蓋１底端は、集積回路板、電線、及び、各種回路素子を固定している。底座２内に、モーター３、減速機４、二組の刀具組５、６を有し、モーター３は、電線により、上蓋１の集積回路、及び、スイッチと連接している。モーター３は、減速機４を帯動して回転させる。減速機４は、若干のギアからなる減速機構で、モーター３の主軸３１は、減速機４のギア組と軸接され、図５と図７を合わせて参照すると、減速機４のギア組は、モーター３の主軸３１により、ギア４１を帯動し、ギア４１と同軸の小ギア４２が、大ギア４３を帯動して回転させ、大ギア４３と同軸の小ギア４４が、もう一つの大ギア４５を帯動して回転させ、大ギア４５と同軸の刀具ギア４６が、刀具組５の一組の刀具５１を帯動して回転させ、刀具ギア４６は、また、もう一つの刀具ギア４７を帯動して回転させ、この刀具ギア４７は、もう一つの刀具５２を帯動して回転させる。
【０００８】
上述の刀具ギア４７は、連接ギア４８を帯動して回転させ、連接ギア４８は、もう一つのギア４９を帯動して回転させ、ギア４９と同軸のもう一組の刀具組６の刀具ギア４９１は、その傍側のもう一つの刀具ギア４９２を帯動して回転させ、刀具組６の二組のギア４９１、４９２は、それぞれ、刀具組６のもう一つの刀具６１、７２を帯動して回転させる。ギア組は、それぞれ、刀具５、６の軸棒と軸接されて、減速機４に二つの刀具組５、６を帯動して回転させる。図６で示されるように、刀具組５は、二組の棘刀５１１、５２１を有する円形のシュレッダー刀５１、５２で、互いに交差してなる。シュレッダー刀５１、５２の間隔は、導紙片５３を装着し、紙Aを、上蓋１頂端の紙入口１１から挿入してシュレッダーにかける。その特徴は、図４で示されるように、CD片の刀具組６は、紙の刀具組５より短いことで、これにより、生産コストを減少させている。
【０００９】
図８を参照すると、もう一側の刀具組６は、二組の円柱形刀具６１、６２が相互に支えあってなり、円柱形刀具６１、６２の表面は圧紋を有し、CD片Bを、上蓋１頂端のCD片入口１２から刀具６１、６２間に挿入して、CD片Bを圧壊する。
【００１０】
上述のように、本考案の紙とCDを粉砕するシュレッダーは、底座内に、分離式である紙とCDの粉砕装置を収容し、連接ギアにより接続し、二組の異なる装置は、それぞれ、紙とCD片を挿入して、それぞれ、紙とCD片を粉砕することが出来、機密文書や機密内容を外漏することがない。また、CD片の刀具組は、紙の刀具組より短く、これにより、生産コストを減少させている。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知の製品の外観図である。
【図２】公知の製品の構造図である。
【図３】本考案の外観図である。
【図４】本考案の部分立体図である。
【図５】本考案の側視断面図（紙シュレッダー）である。
【図６】本考案の刀具組の断面図（紙シュレッダー）である。
【図７】本考案の側視断面図（CD片シュレッダー）である。
【図８】本考案の刀具組（CD片シュレッダー）の断面図である。
【符号の説明】
【００１３】
１…上蓋
１１…紙入口
１２…CD片入口
１３…スイッチ
２…底座
３…モーター
３１…主軸
４…減速機
４１…ギア
４２…小ギア
４３…大ギア
４４…小ギア
４５…大ギア
４６、４７…刀具ギア
４８…連接ギア
４９…ギア
４９１、４９２…刀具ギア
５、６…刀具組
５１、５２…シュレッダー刀
５１１、５２１…棘刀
５３…導紙片
６１、６２…刀具
１００…シュレッダー口
２００…刀具
A…紙
B…CD片
【図１】
0003112364.tif 000003
【図２】
0003112364.tif 000004
【図３】
0003112364.tif 000005
【図４】
0003112364.tif 000006
【図５】
0003112364.tif 000007
【図６】
0003112364.tif 000008
【図７】
0003112364.tif 000009
【図８】
0003112364.tif 000010